(57)【要約】【課題】緊急通報回線の試験を自動化し、試験品質及び信頼性の向上を図る。【解決手段】試験管理装置１０は、受付台１０−１に配置され、保守者とのユーザインタフェース制御を行い、試験回線を指定するための試験回線情報を送出する。迂回用回線トランク２０ａは、試験実行中に着信があった実質の緊急呼を受信して受付台１０−２と接続する。回線切替トランク３０は、回線切替信号を受けて、緊急呼を迂回用回線トランク２０ａへ、かつ選択した試験回線を通じて試験呼を試験対象の緊急通報回線トランク２０へ接続するように回線を切り替える。試験制御トランク４０は、試験回線情報の解読を行い試験回線を認識して、試験回線の使用状態を監視し、回線が空きの場合は、試験中の回線閉塞を回避するための回線切替信号を送出して、試験制御を行う。【選択図】        図１
2004153355.tif 000002
【特許請求の範囲】
【請求項１】
緊急通報回線の試験を行う回線試験システムにおいて、
受付台に配置され、保守者とのユーザインタフェース制御を行い、試験回線を指定するための試験回線情報を送出する試験管理装置と、
試験実行中に着信があった実質の緊急呼を受信して受付台と接続する迂回用回線トランクと、
回線切替信号を受けて、緊急呼を前記迂回用回線トランクへ、かつ選択した試験回線を通じて試験呼を試験対象の緊急通報回線トランクへ接続するように回線を切り替える回線切替トランクと、
前記試験回線情報の解読を行い試験回線を認識して、試験回線の使用状態を監視し、回線が空きの場合は、試験中の回線閉塞を回避するための前記回線切替信号を送出して、試験制御を行う試験制御トランクと、
を有することを特徴とする回線試験システム。
【請求項２】
前記試験制御トランクは、緊急通報回線トランクに着信設定を行って回線を接続し、前記試験管理装置は、自動応答して緊急通報回線のパスを確立することで、着信・応答試験を実行することを特徴とする請求項１記載の回線試験システム。
【請求項３】
前記試験管理装置は、試験回線番号と台制御トランクより送出される回線番号とを比較し、着信回線を試験回線と認識した場合には、着信鳴動を行わずに自動応答することを特徴とする請求項２記載の回線試験システム。
【請求項４】
前記試験制御トランクは、試験回線を通じて、試験呼を前記試験管理装置へ送出し、前記試験管理装置は、試験回線を通じて、試験呼を前記試験制御トランクへ送出することで通話確認試験を行うことを特徴とする請求項２記載の回線試験システム。
【請求項５】
前記試験管理装置は、試験結果をネットワークを通じて外部へ通知することを特徴とする請求項１記載の回線試験システム。
【発明の詳細な説明】
【０００１】
【発明の属する技術分野】
本発明は回線試験システムに関し、特に緊急通報回線の試験を行う回線試験システムに関するものである。
【０００２】
【従来の技術】
消防・警察に緊急を知らせるための緊急通報（１１９番、１１０番）は、緊急事態が発生した場合に、救援のための連絡用に利用する通話で、一般回線の呼に優先して接続される。
【０００３】
緊急呼は、消防センタ／警察本部内の交換システム内で、専用線である緊急通報回線で受付台（指令台）まで結ばれている。この緊急通報回線に障害が発生すると、緊急呼を受け付けることができなくなるため、緊急通報回線は、常に正常に動作することが求められている。したがって、緊急通報回線への試験は頻繁に行う必要があり、信頼性及び試験効率の高い試験システムの構築が強く要望されている。
【０００４】
従来、緊急通報回線の試験システムとしては、自動試験制御装置と回線試験装置とを設けて、試験対象の回線に試験呼を送出して自動試験を行うシステムが提案されている（例えば、特許文献１）。
【０００５】
【特許文献１】
特開平１０−１２６４９９号公報（段落番号〔００１３〕〜〔００１５〕，第１図）
【０００６】
【発明が解決しようとする課題】
しかし、上記のような従来技術（特開平１０−１２６４９９号公報）では、試験回線に対し閉塞処理を行って、迂回回線を設けていないので、試験中は実際の緊急通報を受信することができないおそれがあるといった問題があった。また、受付台の手前に位置する主配電盤（ＭＤＦ：Ｍａｉｎ  Ｄｉｓｔｒｉｂｕｔｉｎｇ  Ｆｒａｍｅ）までの試験であり、ＭＤＦから受付台までの試験が行われていないといった問題があった。
【０００７】
一方、従来の緊急通報回線の試験システムでは、以下のような問題点がある。
（１）緊急通報回線の試験は、現状は手動で行われており、試験中は保守者を常時配置する必要がある。保守者による手動試験では、誤操作による再試験や回線切断をしてしまう可能性も考えられ、信頼性を欠くおそれがある。
（２）回線試験を行っている場合でも、通常運用と変わらない着信（緊急呼）は入るので、保守者は、試験呼なのか緊急呼なのか判別できず、呼が着信する度に保守者に緊張が走り、実運用への負担を大きくする。
（３）従来の試験システムを導入しようとすると、交換機処理に変更を加えることになり（プログラムファイル変更など）、導入作業時に交換機などを停止しなければならず、作業中は緊急呼を受け付けることができない。
（４）障害内容を含む試験結果は、試験を実施した保守者が、システム管理者に連絡している。従来では、試験結果は人手を介してシステム管理者に通知されるため、万が一障害が発生していた場合には、障害復旧まで時間を要してしまう。
【０００８】
本発明はこのような点に鑑みてなされたものであり、緊急通報回線の試験を自動化し、試験品質及び信頼性の向上を図った回線試験システムを提供することを目的とする。
【０００９】
【課題を解決するための手段】
本発明では上記課題を解決するために、図１に示すような、緊急通報回線の試験を行う回線試験システム１において、受付台１０−１に配置され、保守者とのユーザインタフェース制御を行い、試験回線を指定するための試験回線情報を送出する試験管理装置１０と、試験実行中に着信があった実質の緊急呼を受信して受付台１０−２と接続する迂回用回線トランク２０ａと、回線切替信号を受けて、緊急呼を迂回用回線トランク２０ａへ、かつ選択した試験回線を通じて試験呼を試験対象の緊急通報回線トランク２０へ接続するように回線を切り替える回線切替トランク３０と、試験回線情報の解読を行い試験回線を認識して、試験回線の使用状態を監視し、回線が空きの場合は、試験中の回線閉塞を回避するための回線切替信号を送出して、試験制御を行う試験制御トランク４０と、を有することを特徴とする回線試験システム１が提供される。
【００１０】
ここで、試験管理装置１０は、受付台１０−１に配置され、保守者とのユーザインタフェース制御を行い、試験回線を指定するための試験回線情報を送出する。迂回用回線トランク２０ａは、試験実行中に着信があった実質の緊急呼を受信して受付台１０−２と接続する。回線切替トランク３０は、回線切替信号を受けて、緊急呼を迂回用回線トランク２０ａへ、かつ選択した試験回線を通じて試験呼を試験対象の緊急通報回線トランク２０へ接続するように回線を切り替える。試験制御トランク４０は、試験回線情報の解読を行い試験回線を認識して、試験回線の使用状態を監視し、回線が空きの場合は、試験中の回線閉塞を回避するための回線切替信号を送出して、試験制御を行う。
【００１１】
【発明の実施の形態】
以下、本発明の実施の形態を図面を参照して説明する。図１は本発明の回線試験システムの原理図である。回線試験システム１は、警察・消防へ緊急通報を知らせる回線である緊急通報回線に対して試験を行うシステムであり、警察・消防の受付台を収容する施設内に設置される。
【００１２】
受付台１０−１、１０−２は、保守者が緊急呼を受け付けるための操作卓であり、受付台１０−１には試験管理装置１０が設置されている。試験管理装置１０は、保守者に対して、回線試験（緊急通報回線試験）のためのユーザインタフェース制御を行い、また、試験対象である回線（試験回線）を指定するための試験回線情報を送出する。
【００１３】
さらに、受付台１０−１、１０−２は、ＬＡＮ９で接続され、ＩＰ網とＬＡＮ９とをつなぐルータ９０が接続されている。これにより、試験管理装置１０が保持している回線試験結果は、外部のシステム管理者へ通知することができる。
【００１４】
台制御トランク５０−１、５０−２それぞれは、受付台１０−１、１０−２と交換機６０を接続する中継装置である。なお、トランクとは一般に、交換機や外線などの接続を行う中継装置のことを意味する。
【００１５】
交換機６０は、施設内に設置されたＰＢＸ（Ｐｒｉｖａｔｅ  Ｂｒａｎｃｈ  Ｅｘｃｈａｎｇｅ）である。緊急通報回線トランク２０は、交換機６０と回線切替トランク３０とを接続する中継装置であり、緊急通報回線を収容する。
【００１６】
迂回用回線トランク２０ａは、交換機６０と回線切替トランク３０とを接続する中継装置であり、試験実行中であっても、本来の緊急呼を受信できるように、迂回させた緊急通報回線を収容する（回線を閉塞せずに試験を実行するため）。また、試験実行中に送信された実質の緊急呼は、図では受付台１０―２へ転送される。なお、迂回用回線トランク２０ａは、緊急通報回線トランク２０と実際には同一機能のトランクである。
【００１７】
ＯＤ（Ｏｕｔｂａｎｄ  Ｄｉａｌｉｎｇ）トランク７０は、交換機６０と試験制御トランク４０とを接続する中継装置であり、試験管理装置１０と試験制御トランク４０との間でやりとりされる信号の仲介制御を行う。
【００１８】
回線切替トランク３０は、試験制御トランク４０からの回線切替信号を受けて、試験中に着信があった緊急呼を迂回用回線トランク２０ａへ、かつ選択した試験回線を通じて試験呼を試験対象の緊急通報回線トランク２０へ接続するように回線を切り替える。また、試験終了後は、元の回線接続に復旧させる。
【００１９】
試験制御トランク４０は、試験管理装置１０から送られた試験回線情報の解読を行い試験回線を認識する。そして、その試験回線の使用状態を監視し、回線が空きの場合は、試験中の回線閉塞を回避するための（回線閉塞の回避とは、回線試験の実行中であっても、緊急呼を受け付けられるようにするということ）、上述の回線切替信号を回線切替トランク３０へ送出して試験制御を行う。
【００２０】
回線終端装置２は、公衆網からの回線を終端する。ＭＤＦ（Ｍａｉｎ  Ｄｉｓｔｒｉｂｕｔｉｎｇ  Ｆｒａｍｅ）８０は、終端された回線ケーブルを整理するための配線分配装置である。また、ＭＤＦ８０から引き出された緊急通報回線は、回線切替トランク３０に接続する。
【００２１】
次に動作概要について図１、図２を用いて説明する。図２は本発明の動作概要を示すフローチャートである。なお、ここでの動作としては、試験制御トランク４０から試験管理装置１０へ向かう通話の通話確認試験を行う場合を例にして説明する。
〔Ｓ１〕保守者（試験実施者）は、受付台１０−１の試験開始キーを押下する。人的操作はこの１回のみとなる。すると、受付台１０−１は、試験管理装置１０に対し試験モードを設定し、試験管理装置１０は、試験制御トランク４０へ向けて、試験回線情報を出力する。
【００２２】
試験回線情報は、トランクＮＯ．＋トランク内回線ＮＯ．＋回線種別からなる。トランクＮＯ．とは、試験したい緊急通報回線トランクのナンバである。トランク内回線ＮＯ．とは、その緊急通報回線トランク内の試験したい回線のナンバである。回線種別とは、その回線の種別を示すものである（具体的には、警察Ａ．Ｃ．、消防Ａ．Ｃ．、消防Ｄ．Ｃ．の３種類がある）。
【００２３】
また、試験管理装置１０では、試験回線情報のこれらの内容が、試験制御トランク４０で判別可能なようにＰＢ（Ｐｕｓｈ  Ｂｕｔｔｏｎ）信号にて送出する。ＰＢ信号は数字「０〜９」、記号「＊、＃」、英字「Ａ、Ｂ、Ｃ、Ｄ」の種類があるので、これらをトランクＮＯ．、トランク内回線ＮＯ．、回線種別に対してあらかじめ割り当てておいて送出する（話中音や呼出音などの可聴音を用いてもよい）。〔Ｓ２〕試験制御トランク４０は、試験回線情報を受信して解読すると、Ｂルートにて試験回線の回線状態監視を開始する。ここでは、回線の空きを確認したとする（試験回線が使用中の場合は、試験制御トランク４０は、Ａルートにて、試験管理装置１０に対し、試験中止、次回線の指示要求などを送出する。
〔Ｓ３〕試験制御トランク４０は、回線空きを確認すると、回線切替トランク３０に対し、回線切替信号をＢルートにて送出する。
〔Ｓ４〕回線切替トランク３０は、自トランク内の回線に対し、ａ−ｂルートをａ−ｃルートに切り替え、そしてｄ−ｂルートを設定する（緊急呼はａ−ｃルートにて迂回され、迂回用回線トランク２０ａにより通常運用される）。
〔Ｓ５〕試験制御トランク４０は、擬似発呼者となり、緊急通報回線に着信設定を行って回線の接続を行う。
〔Ｓ６〕試験管理装置１０は、自動応答し（この場合、受付台１０−１の着信鳴動は行わない）、試験制御トランク４０−回線切替トランク３０−緊急通報回線トランク２０−交換機６０−台制御トランク５０−１−試験管理装置１０間のパスを確立する。
〔Ｓ７〕試験制御トランク４０は、試験管理装置１０からの応答を検出すると、ステップＳ６で確立したパスに対してＣルートから、試験呼（例えば、ＰＢ信号の「Ａ」）を試験管理装置１０へ送出する。
〔Ｓ８〕試験管理装置１０は、試験呼を受信すると、ステップＳ６で確立したパスに対して、応答試験呼（例えば、ＰＢ信号の「Ｂ」）を試験制御トランク４０へ向けて送出する（試験管理装置１０は、試験呼の正常受信ができない場合は、Ａルートにて失敗通知を試験制御トランク４０へ送信）。
〔Ｓ９〕試験制御トランク４０は、応答試験呼を受信して、試験呼が試験管理装置１０で正常受信されたことを認識する。ここで、指定回線に対する試験を終える場合は、試験制御トランク４０は、回線切替トランク３０のａ−ｃルートを監視して空きを確認すると、元のルート（ａ−ｂルート）に回線を切り替えるための回線切替信号を、回線切替トランク３０へ送出して、回線切替トランク３０は試験前の回線状態に復旧させる。そして、試験制御トランク４０は、試験管理装置１０に対し、試験終了通知を行う。
〔Ｓ１０〕試験管理装置１０は、試験結果を保持し、ＬＡＮ９、ルータ９０を介して試験結果をＩＰ網へ送出し、外部のシステム管理者へ試験結果を報告する。
【００２４】
次に試験管理装置１０、回線切替トランク３０、試験制御トランク４０の内部構成について説明する。図３は試験管理装置１０の構成を示す図である。試験管理装置１０は、ユーザインタフェース制御部１１、試験呼送受信部１２、着信応答制御部１３、試験結果通知部１４から構成される。
【００２５】
ユーザインタフェース制御部１１は、保守者とのユーザインタフェース制御を行う。試験呼送受信部１２は、試験回線を指定するための試験回線情報を受信側で判別可能な信号で送出し、かつ回線試験時の試験呼の送受信を行う。
【００２６】
着信応答制御部１３は、試験回線番号と台制御トランク５０−１より送出される回線番号とを比較し、着信回線を試験回線と認識した場合には、着信鳴動を行わずに自動応答を行う。また、対向がオンフックを行った場合はオンフック検出を行う。試験結果通知部１４は、試験結果を保持し、ネットワークを通じて外部へ通知する。
【００２７】
図４は回線切替トランク３０の構成を示す図である。回線切替トランク３０は、回線選択部３１、回線切替部３２から構成される。回線選択部３１は、試験制御トランク４０からの指示により、試験回線を選択する。回線切替部３２は、回線切替信号を受けると、スイッチＳＷ１、ＳＷ２を操作して、試験中の実質の緊急呼を迂回用回線トランク２０ａへ、試験制御トランク４０からの試験呼を、試験対象の緊急通報回線トランク２０へ接続するように回線を切り替える。
【００２８】
図５は試験制御トランク４０の構成を示す図である。試験制御トランク４０は、試験制御部４１、試験呼送受信部４２、回線インタフェース部４３から構成される。また、試験制御部４１は、試験設定部４１ａ、試験回線選択部４１ｂ、起動／応答制御部４１ｃ、回線状態監視部４１ｄ、試験判定部４１ｅを含み、試験呼送受信部４２は、ＰＢ送信部４２ａ、ＰＢ受信部４２ｂを含む。
【００２９】
試験設定部４１ａは、回線試験の設定を行う。試験回線選択部４１ｂは、試験回線情報を解読し、回線切替信号を出力し、試験回線を選択する。起動／応答制御部４１ｃは、試験の起動／応答の制御を行う。回線状態監視部４１ｄは、選択した試験回線の状態を監視する。試験判定部４１ｅは、試験が正常か否かを判定する。
【００３０】
ＰＢ送信部４２ａは、試験呼としてＰＢ信号を送信する。ＰＢ受信部４２ｂは、試験回線情報としてのＰＢ信号、または試験呼としてのＰＢ信号を受信する。回線インタフェース部４３は、試験回線とのインタフェース制御を行う。
【００３１】
次に上述の構成要素における詳細な動作について説明する。試験動作としては、試験開始→試験回線状態監視→回線切替→着信・応答試験→通話確認試験１（試験制御トランク４０から試験管理装置１０への通話確認試験）→呼び返し（逆信）試験→通話確認試験２（試験管理装置１０から試験制御トランク４０への通話確認試験）→迂回用回線監視・回線切替→試験終了、の流れで説明する。なお、以降では、装置の構成については上述したので構成説明は省略し、試験動作を中心に説明する。
【００３２】
まず、試験開始の動作について説明する。図６は試験開始の動作を説明するための図である。
〔Ｓ２１〕試験管理装置１０の試験キーが押下されると、このキー押下を受けて、ＯＤトランク７０は、試験制御トランク４０に対し起動を行う。具体的にはＤＬ（対局起動線）をＯＮにする。
〔Ｓ２２〕試験管理装置１０の試験呼送受信部１２は、ＯＤトランク７０を介して試験制御トランク４０に対し、試験回線情報（トランクＮＯ．＋トランク内回線ＮＯ．＋回線種別）をＰＢ信号で送信する。試験回線情報は、ＰＢ受信部４２ｂを介して試験回線選択部４１ｂに到達する。
【００３３】
なお、ＯＤトランク７０の端子ＴＡ／ＴＢとは、２線の上り通話線の送信端子を意味し、試験制御トランク４０の端子ＲＡ／ＲＢは、２線の上り通話線の受信端子を意味する。
〔Ｓ２３〕試験制御トランク４０は、ＰＢ信号を受信すると、起動／応答制御部４１ｃにより、応答をＯＤトランク７０へ返す。具体的にはＲＧ２（着信検出線）をＯＮする。
【００３４】
次に試験回線状態監視の動作について説明する。図７は試験回線状態監視の動作を説明するための図である。
〔Ｓ３１〕試験制御トランク４０の試験回線選択部４１ｂは、受信した試験回線情報を解読し、該当の試験回線を回線切替トランク３０の回線選択部３１に通知する。
〔Ｓ３２〕回線選択部３１は、緊急通報回線トランク２０より引き込んだＢＬ（回線使用中情報）から、試験回線の該当ＢＬを試験制御トランク４０へ送出する。なお、緊急通報回線トランク２０は、収容している緊急通報回線それぞれに対応するＢＬを出力しており、このＢＬの値にもとづき、対応する緊急通報回線が使用中か否かが判断できる。
〔Ｓ３３〕試験制御トランク４０の回線状態監視部４１ｄは、試験回線のＢＬを受信し、回線の状態を把握する。回線の空きを確認した場合は次ステップ（図８で示す動作）へ進む。
〔Ｓ３３ａ〕回線が使用中の場合は、起動／応答制御部４１ｃは、ＯＤトランク７０へ応答信号のＲＧ２をＯＦＦし、試験管理装置１０に対し回線使用中を通知し、次回線の指示待機状態とする。
【００３５】
次に回線切替の動作について説明する。図８は回線切替の動作を説明するための図である。
〔Ｓ４１〕回線空き情報を検出した試験制御トランク４０では、試験回線選択部４１ｂにより、回線切替トランク３０に対し回線切替信号を送出する。
〔Ｓ４２〕回線切替トランク３０の回線切替部３２は、ａ−ｂルートをａ−ｃルートに切り替え、そしてｄ−ｂルートを生成するように、スイッチＳＷ１、ＳＷ２を制御する。この切替により、試験呼が流れるルートはルートｒ１となり、試験中の緊急呼が流れるルートはルートｒ２となって、試験中の緊急呼は、迂回用回線トランク２０ａで確保されるようになる。
【００３６】
次に着信・応答試験の動作について説明する。図９は着信・応答試験の動作を説明するための図である。
〔Ｓ５１〕試験制御トランク４０は擬似発呼者となり、試験設定部４１ａは、緊急通報回線トランク２０に回線インタフェース部４３を介して着信設定を行い、試験着信制御を行う。
〔Ｓ５２〕試験管理装置１０の着信応答制御部１３は、台制御トランク５０−１から送出される着信回線番号と、試験管理装置１０が持つ試験回線番号との比較を行う。試験回線であると判断した場合は、着信鳴動を行わずに自動応答を行う。このように、試験中は試験呼に対する着信鳴動は行わないので、保守者に対して、不要な緊張感を与えることをなくすことができる。
〔Ｓ５３〕試験設定部４１ａは、回線インタフェース部４３を介して、応答を検出し、試験制御トランク４０−回線切替トランク３０−緊急通報回線トランク２０−交換機６０−台制御トランク５０−１−試験管理装置１０間のパス（ルートｒ１）が確立する。
〔Ｓ５３ａ〕試験制御トランク４０が着信設定を行ってから、一定時間内に応答が検出できない場合は、起動／応答制御部４１ｃは、ＯＤトランク７０へ応答信号のＲＧ２をＯＦＦし、試験管理装置１０に対し失敗通知を送信し、次回線の指示待機状態とする。
〔Ｓ５４〕試験管理装置１０の着信応答制御部１３は、着信応答にてＯＤトランク７０を介しての折り返しルートを設定する。
【００３７】
次に通話確認試験１（試験制御トランク４０から試験呼を送出して、試験管理装置１０で受信できるか否かの通話確認試験）の動作について説明する。図１０は通話確認試験の動作を説明するための図である。
〔Ｓ６１〕試験制御トランク４０は応答検出後、試験設定部４１ａからの指示により、ＰＢ送信部４２ａは、試験呼としてＰＢ信号「＃」を送出する。ＰＢ信号は、ステップＳ５３、Ｓ５４で確立されたルートを通り、試験制御トランク４０のＰＢ受信部４２ｂを介して試験判定部４１ｅで受信される。
〔Ｓ６２〕試験判定部４１ｅは、ＰＢ信号「＃」を受信すると、通話の正常性を確認する。
〔Ｓ６２ａ〕ＰＢ信号が正常に受信できない場合、または一定時間内に受信ができない場合は、試験制御トランク４０の起動／応答制御部４１ｃは、ＯＤトランク７０へ応答信号のＲＧ２をＯＦＦし、試験管理装置１０に対し失敗通知を送信し、次回線の指示待機状態とする。
【００３８】
次に呼び返し（逆信）試験の動作について説明する。図１１は呼び返し試験の動作を説明するための図である。“呼び返し”とは、電話通信において、いったん通信先を呼び出して、相手側からの発信を求めることであり、例えば、警察・消防への呼び返しでは、通報の際に通話が途切れた場合でも、警察・消防から発呼相手に発信を行うことができる。
〔Ｓ７１〕試験制御トランク４０は、折り返して送信されたＰＢ信号「＃」を正常受信すると、試験設定部４１ａはオンフック設定を行い、通報者が回線を切断した状態にする。
〔Ｓ７２〕試験管理装置１０の着信応答制御部１３は、オンフックを検出すると、呼び返しを行う。
〔Ｓ７３〕試験判定部４１ｅは、呼び返しを検出する。呼び返しを正常に検出すると、試験設定部４１ａは、回線インタフェース部４３に対して通話設定を行う（後述する通話確認試験２を行うため）。
〔Ｓ７３ａ〕一定時間内に呼び返しが検出できない場合は、起動／応答制御部４１ｃは、ＯＤトランク７０へ応答信号のＲＧ２をＯＦＦし、試験管理装置１０に対し失敗通知を送信し、次回線の指示待機状態とする。
【００３９】
次に通話確認試験２（試験管理装置１０から試験呼を送出して、試験制御トランク４０で受信できるか否かの通話確認試験）の動作について説明する。図１２は通話確認試験の動作を説明するための図である。
〔Ｓ８１〕回線インタフェース部４３の通話設定が行われたことを試験管理装置１０が確認すると、試験管理装置１０内の試験呼送受信部１２は、ＰＢ信号「＊」をステップＳ５３で確立したパスに送出する。
〔Ｓ８２〕試験制御トランク４０の試験判定部４１ｅは、ＰＢ受信部４２ｂを介してＰＢ信号「＊」を受信すると、通話の正常性を確認する。
〔Ｓ８２ａ〕一定時間内にＰＢ信号が受信ができない場合は、起動／応答制御部４１ｃは、ＯＤトランク７０へ応答信号のＲＧ２をＯＦＦし、試験管理装置１０に対し失敗通知を送信し、次回線の指示待機状態とする。
【００４０】
次に迂回回線監視・回線切替の動作について説明する。図１３は迂回回線監視・回線切替の動作を説明するための図である。なお、ここでの“回線切替”とは、回線切替トランク３０内のａ−ｂルートの状態を、元のａ−ｃルートの回線状態へ戻す切替のことを指している。
〔Ｓ９１〕ＰＢ信号「＊」を受信した試験制御トランク４０は、回線状態監視部４１ｄにおいて、緊急通報回線の迂回先の迂回用回線トランク２０ａのＢＬを受信して回線状態を監視する。回線使用中の場合は空きが確認されるまで監視を続ける。
〔Ｓ９２〕回線空きが確認された場合、試験回線選択部４１ｂは、回線切替信号を送出する。
〔Ｓ９３〕回線切替トランク３０の回線切替部３２は、緊急通報回線を元の状態に切り替えて、緊急通報回線トランク２０は通常の運用となる。
【００４１】
次に試験終了の動作について説明する。図１４は試験終了の動作を説明するための図である。
〔Ｓ１０１〕試験管理装置１０は、ＯＤトランク７０の起動信号ＤＬをＯＦＦする。
〔Ｓ１０２〕回線状態監視部４１ｄは、回線切替トランク３０での回線切替が終了したことを認識する。
〔Ｓ１０３〕起動／応答制御部４１ｃは、ステップＳ１０１のＯＤトランク７０のＤＬのＯＦＦを受信すると、ＯＤトランク７０へ応答信号のＲＧ２をＯＦＦし、試験終了を試験管理装置１０に通知する。
【００４２】
以上のようなシーケンスを全回線について行い、試験管理装置１０は、ユーザインタフェース制御部１１により、試験結果の管理表示を行う。また、保守者は、試験管理装置１０の試験終了表示を見て結果を閲覧し、試験失敗回線について再試験を実施する。なお、再試験でも失敗した場合は、該当の回線には障害が発生しているものとみなして、試験管理装置１０の試験結果通知部１４からルータ９０を介してＩＰ網を経由し、システム管理者へ連絡を行う。
【００４３】
次にシーケンス図を用いて動作について説明する。図１５、図１６は動作シーケンスを示す図である。
〔Ｓ２０１〕試験管理装置１０は、試験開始、試験回線設定、ＯＤトランク７０の接続などの制御を行う。
〔Ｓ２０２〕ＯＤトランク７０から試験制御トランク４０に対し、ＤＬがＯＮされ、試験制御トランク４０からＯＤトランク７０に対し、ＲＧ２がＯＮされる。
〔Ｓ２０３〕試験制御トランク４０は、回線切替トランク３０を通じて試験回線の監視を行う。
〔Ｓ２０４〕試験回線が使用中の場合は、試験制御トランク４０は、ＲＧ２をＯＦＦにする。
〔Ｓ２０５〕試験回線が空いている場合、試験制御トランク４０は、回線切替トランク３０へ回線切替信号を送出し、回線切替トランク３０は回線を切り替える。
〔Ｓ２０６〕試験制御トランク４０は着信設定を行い応答を検出する。
〔Ｓ２０７〕応答が検出できない場合は、試験制御トランク４０は、ＲＧ２をＯＦＦにする。
〔Ｓ２０８〕試験制御トランク４０は、試験ＰＢを緊急通報回線トランク２０へ向けて送出する。
〔Ｓ２０９〕試験制御トランク４０は、台制御トランク５０−１を介し、ＰＢを受信する。
〔Ｓ２１０〕ＰＢを受信できない場合は、試験制御トランク４０は、ＲＧ２をＯＦＦにする。
〔Ｓ２１１〕試験制御トランク４０は、オンフック設定を行う。
〔Ｓ２１２〕試験管理装置１０から緊急通報回線トランク２０を介し、呼び返しが行われる。
〔Ｓ２１３〕呼び返しが検出できない場合は、試験制御トランク４０は、ＲＧ２をＯＦＦにする。
〔Ｓ２１４〕台制御トランク５０−１を介し、試験ＰＢが試験制御トランク４０へ送られ、試験制御トランク４０は試験ＰＢを受信する。
〔Ｓ２１５〕ＰＢを受信できない場合は、試験制御トランク４０は、ＲＧ２をＯＦＦにする。
〔Ｓ２１６〕ＯＤトランク７０から試験制御トランク４０に対し、ＤＬがＯＦＦされると、試験制御トランク４０は、迂回回線を監視し、空きの場合は、回線切替トランク３０に対し回線復旧指示を行う。回線復旧すると、回線切替トランク３０は、回線切替完了を通知する。
〔Ｓ２１７〕試験制御トランク４０は、ＲＧ２をＯＦＦにし、対象の回線の試験を終了する。そして、次回線の試験開始となる。
【００４４】
以上説明したように、本発明によれば、回線試験を自動化としたことにより、保守者は長時間拘束されることもなく、誤操作もなくなるので効率的な試験を行うことが可能になる。また、試験呼の自動応答機能を設けて、試験呼の着信音は鳴動させないようにしたので、保守者への負担を軽減することができる。
【００４５】
さらに、迂回回線を設けたことにより、試験時の緊急通報回線は確実に確保することができる。また、試験呼や試験回線情報に対して、ＰＢ信号を使用することにしたので、試験管理装置やトランク側でどのような信号かを認識でき、交換機のファイル変更などが不要となる。
【００４６】
また、試験内容の通知に対し、システム管理者への連絡も自動化したので、障害内容、障害の部位、システム状況などが速やかにシステム管理者に通知され、障害復旧時間の大幅な短縮が可能になる。
【００４７】
なお、上記では、本発明の適用例として、警察・消防の緊急通報回線の試験システムとして説明したが、警察・消防に限らず、その他の特殊回線の試験を行う際にも、本発明を適用することが可能である。
【００４８】
（付記１）  緊急通報回線の試験を行う回線試験システムにおいて、
受付台に配置され、保守者とのユーザインタフェース制御を行い、試験回線を指定するための試験回線情報を送出する試験管理装置と、
試験実行中に着信があった実質の緊急呼を受信して受付台と接続する迂回用回線トランクと、
回線切替信号を受けて、緊急呼を前記迂回用回線トランクへ、かつ選択した試験回線を通じて試験呼を試験対象の緊急通報回線トランクへ接続するように回線を切り替える回線切替トランクと、
前記試験回線情報の解読を行い試験回線を認識して、試験回線の使用状態を監視し、回線が空きの場合は、試験中の回線閉塞を回避するための前記回線切替信号を送出して、試験制御を行う試験制御トランクと、
を有することを特徴とする回線試験システム。
【００４９】
（付記２）  前記試験管理装置は、前記試験回線情報の内容が、受信側で判別可能な信号で送出することを特徴とする付記１記載の回線試験システム。
（付記３）  前記試験管理装置及び前記試験制御トランクは、試験呼を送出する場合、試験呼である旨が受信側で判別可能な信号で送出することを特徴とする付記１記載の回線試験システム。
【００５０】
（付記４）  前記試験制御トランクは、緊急通報回線トランクに着信設定を行って回線を接続し、前記試験管理装置は、自動応答して緊急通報回線のパスを確立することで、着信・応答試験を実行することを特徴とする付記１記載の回線試験システム。
【００５１】
（付記５）  前記試験管理装置は、試験回線番号と台制御トランクより送出される回線番号とを比較し、着信回線を試験回線と認識した場合には、着信鳴動を行わずに自動応答することを特徴とする付記４記載の回線試験システム。
【００５２】
（付記６）  前記試験制御トランクは、試験回線を通じて、試験呼を前記試験管理装置へ送出し、前記試験管理装置は、試験回線を通じて、試験呼を前記試験制御トランクへ送出することで通話確認試験を行うことを特徴とする付記４記載の回線試験システム。
【００５３】
（付記７）  前記試験制御トランクは、試験呼の受信後、オンフック設定を行って回線を切断し、前記試験管理装置は、オンフックを検出することで、呼び返し試験を行うことを特徴とする付記６記載の回線試験システム。
【００５４】
（付記８）  前記試験管理装置は、試験結果をネットワークを通じて外部へ通知することを特徴とする付記１記載の回線試験システム。
（付記９）  緊急通報回線の試験を行う試験管理装置において、
保守者とのユーザインタフェース制御を行うユーザインタフェース制御部と、試験回線を指定するための試験回線情報を受信側で判別可能な信号で送出し、かつ試験呼の送受信を行う試験呼送受信部と、
試験回線番号と台制御トランクより送出される回線番号とを比較し、着信回線を試験回線と認識した場合には、着信鳴動を行わずに自動応答を行い、かつ対向がオンフックを行った場合はオンフック検出を行う着信応答制御部と、
試験結果を保持し、ネットワークを通じて外部へ通知する試験結果通知部と、を有することを特徴とする試験管理装置。
【００５５】
（付記１０）  回線切替を行う回線切替トランクにおいて、
試験回線を選択する回線選択部と、
回線切替信号を受けて、実質の緊急呼を迂回用回線トランクへ、かつ選択した試験回線を通じて試験呼を試験対象の緊急通報回線トランクへ接続するように回線を切り替える回線切替部と、
を有することを特徴とする回線切替トランク。
【００５６】
（付記１１）  緊急通報回線の試験を行う試験制御トランクにおいて、
試験回線情報の解読を行い試験回線を認識して、試験回線の使用状態を監視し、回線が空きの場合は、試験中の回線閉塞を回避するための回線切替信号を送出し、試験呼による着信設定、オンフック設定を行う試験制御部と、
試験呼の送受信を行う試験呼送受信部と、
試験回線とのインタフェース制御を行う回線インタフェース部と、
を有することを特徴とする試験制御トランク。
【００５７】
（付記１２）  緊急通報回線の試験を行う緊急通報回線試験方法において、
受付台から試験対象の回線を指定するための試験回線情報を受信側で判別可能な信号で送出し、
試験制御トランクは、前記試験回線情報の解読を行い試験回線を認識して、試験回線の使用状態を監視し、回線が空きの場合は、試験中の回線閉塞を回避するための回線切替信号を送出し、
回線切替トランクは、回線切替信号にもとづいて、実質の緊急呼を迂回用回線トランクへ、かつ選択した試験回線を通じて試験呼を試験対象の緊急通報回線トランクへ接続するように回線を切り替え、
試験制御トランクは、回線切替後に試験制御を行うことを特徴とする緊急通報回線試験方法。
【００５８】
（付記１３）  前記試験管理装置は、前記試験回線情報の内容が、受信側で判別可能な信号で送出することを特徴とする付記１２記載の緊急通報回線試験方法。
【００５９】
（付記１４）  前記試験管理装置及び前記試験制御トランクは、試験呼を送出する場合、試験呼である旨が受信側で判別可能な信号で送出することを特徴とする付記１２記載の緊急通報回線試験方法。
【００６０】
（付記１５）  前記試験制御トランクは、緊急通報回線トランクに着信設定を行って回線を接続し、前記受付台は、自動応答して緊急通報回線のパスを確立することで、着信・応答試験を実行することを特徴とする付記１２記載の緊急通報回線試験方法。
【００６１】
（付記１６）  前記受付台は、試験回線番号と台制御トランクより送出される回線番号とを比較し、着信回線を試験回線と認識した場合には、着信鳴動を行わずに自動応答することを特徴とする付記１５記載の緊急通報回線試験方法。
【００６２】
（付記１７）  前記試験制御トランクは、試験回線を通じて、試験呼を前記試験管理装置へ送出し、前記受付台は、試験回線を通じて、試験呼を前記試験制御トランクへ送出することで通話確認試験を行うことを特徴とする付記１５記載の緊急通報回線試験方法。
【００６３】
（付記１８）  前記試験制御トランクは、試験呼の受信後、オンフック設定を行って回線を切断し、前記試験管理装置は、オンフックを検出することで、呼び返し試験を行うことを特徴とする付記１７記載の緊急通報回線試験方法。
【００６４】
（付記１９）  前記試験管理装置は、試験結果をネットワークを通じて外部へ通知することを特徴とする付記１２記載の緊急通報回線試験方法。
【００６５】
【発明の効果】
以上説明したように、本発明の回線試験システムは、試験管理装置から試験回線を指定するための試験回線情報を送出し、回線切替トランクは、回線切替信号を受けて、緊急呼を迂回用回線トランクへ、かつ試験呼を試験対象の緊急通報回線トランクへ接続するように回線を切り替える。また、試験制御トランクは、試験回線の使用状態を監視し、回線が空きの場合は、試験中の回線閉塞を回避するための回線切替信号を送出して、試験制御を行う構成とした。これにより、緊急通報回線の試験を自動化して効率的な試験を行うことができ、試験品質及び信頼性の向上を図ることが可能になる。
【図面の簡単な説明】
【図１】本発明の回線試験システムの原理図である。
【図２】本発明の動作概要を示すフローチャートである。
【図３】試験管理装置の構成を示す図である。
【図４】回線切替トランクの構成を示す図である。
【図５】試験制御トランクの構成を示す図である。
【図６】試験開始の動作を説明するための図である。
【図７】試験回線状態監視の動作を説明するための図である。
【図８】回線切替の動作を説明するための図である。
【図９】着信・応答試験の動作を説明するための図である。
【図１０】通話確認試験の動作を説明するための図である。
【図１１】呼び返し試験の動作を説明するための図である。
【図１２】通話確認試験の動作を説明するための図である。
【図１３】迂回回線監視・回線切替の動作を説明するための図である。
【図１４】試験終了の動作を説明するための図である。
【図１５】動作シーケンスを示す図である。
【図１６】動作シーケンスを示す図である。
【符号の説明】
１  回線試験システム
２  回線終端装置
１０−１、１０−２  受付台
１０  試験管理装置
２０  緊急通報回線トランク
２０ａ  迂回用回線トランク
３０  回線切替トランク
４０  試験制御トランク
５０−１、５０−２  台制御トランク
６０  交換機
７０  ＯＤトランク
８０  ＭＤＦ
９０  ルータ
【図１】
2004153355.tif 000003
【図２】
2004153355.tif 000004
【図３】
2004153355.tif 000005
【図４】
2004153355.tif 000006
【図５】
2004153355.tif 000007
【図６】
2004153355.tif 000008
【図７】
2004153355.tif 000009
【図８】
2004153355.tif 000010
【図９】
2004153355.tif 000011
【図１０】
2004153355.tif 000012
【図１１】
2004153355.tif 000013
【図１２】
2004153355.tif 000014
【図１３】
2004153355.tif 000015
【図１４】
2004153355.tif 000016
【図１５】
2004153355.tif 000017
【図１６】
2004153355.tif 000018